【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
装置と通信するためのチャネルの第１のセットを決定することと、ここにおいて、前記第１のセット中の各チャネルが、前記装置とのビームトレーニングを実行することによって決定される、
前記第１のセットからチャネルの第２のセットを決定することと、ここにおいて、前記第２のセットの前記チャネルが、しきい値よりも大きいチャネル状態を有する、
前記第２のセットを介してデータを通信することと、ここにおいて、前記データが通信される前記第２のセットのチャネルが、前記第２のセットの少なくとも１つのチャネルの前記チャネル状態に基づく、
を備える、ワイヤレス通信の方法。
【請求項２】
チャネルの前記第２のセットを前記決定することが、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態を監視することと、
前記しきい値よりも大きい監視されたチャネル状態を有する前記第１のセットの前記チャネルを含むように前記第２のセットを決定することと、
前記第２のセットの前記少なくとも１つのチャネルの前記監視されたチャネル状態に基づいて、前記第２のセットの前記チャネルの間で、通信されるべき前記データを分割することと、
前記第２のセットの前記少なくとも１つのチャネルの前記監視されたチャネル状態に基づいて、前記第２のセットの各チャネル上で送信されるパイロット信号の数を調整することと
を備える、請求項１に記載の方法。
【請求項３】
チャネルの前記第２のセットを前記決定することが、
前記第１のセットの各チャネルの前記チャネル状態を監視することと、
前記第１のセットの各チャネルの前記監視されたチャネル状態に基づいて、前記データを通信するためのリソース許可を決定することと、
前記決定されたリソース許可に対応する前記第１のセットの前記チャネルを含むように前記第２のセットを決定することと、
前記装置からの前記データを通信するための前記リソース許可を前記装置に送信することと
を備える、請求項１に記載の方法。
【請求項４】
チャネルの前記第２のセットを前記決定することが、
前記第１のセットの１つまたは複数のチャネル上で前記装置から少なくとも１つのパイロット信号を受信したことに基づいて、前記第１のセットの各チャネルの前記チャネル状態を監視することと、
前記しきい値よりも大きい監視されたチャネル状態を有する前記第１のセットの前記１つまたは複数のチャネルを含むように前記第２のセットを決定することと、
前記第２のセットの前記少なくとも１つのチャネルの前記監視されたチャネル状態に基づいて、前記第２のセットの前記チャネルの間で前記データ通信を分割することと
を備える、請求項１に記載の方法。
【請求項５】
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信すること
をさらに備える、請求項４に記載の方法。
【請求項６】
チャネルの前記第２のセットを前記決定することが、
前記装置から、前記装置に前記データを通信するためのリソース許可を受信することと、
前記リソース許可に対応する前記第１のセットの前記チャネルを含むように前記第２のセットを決定することと
を備える、請求項１に記載の方法。
【請求項７】
ワイヤレス通信のための装置であって、
装置と通信するためのチャネルの第１のセットを決定するための手段と、ここにおいて、前記第１のセット中の各チャネルが、前記装置とのビームトレーニングを実行することによって決定される、
前記第１のセットからチャネルの第２のセットを決定するための手段と、ここにおいて、前記第２のセットの前記チャネルが、しきい値よりも大きいチャネル状態を有する、
前記第２のセットを介してデータを通信するための手段と、ここにおいて、前記データが通信される前記第２のセットのチャネルが、前記第２のセットの少なくとも１つのチャネルの前記チャネル状態に基づく、
を備える、装置。
【請求項８】
チャネルの前記第２のセットを決定するための前記手段が、
前記第１のセットの各チャネル上で少なくとも１つのパイロット信号を前記装置に送信することと、
前記少なくとも１つのパイロット信号に応答して、前記第１のセットの１つまたは複数のチャネル上で肯定応答（ＡＣＫ）／否定応答（ＮＡＣＫ）信号を受信したことに基づいて、前記第１のセットの各チャネルの前記チャネル状態を監視することと、
前記しきい値よりも大きい監視されたチャネル状態を有する前記第１のセットの前記チャネルを含むように前記第２のセットを決定することと
を行うように構成された、請求項７に記載の装置。
【請求項９】
前記第２のセットの前記少なくとも１つのチャネルの前記監視されたチャネル状態に基づいて、前記第２のセットの前記チャネルの間で、通信されるべき前記データを分割するための手段
をさらに備える、請求項８に記載の装置。
【請求項１０】
チャネルの前記第２のセットを決定するための前記手段が、
前記第２のセットの前記少なくとも１つのチャネルの前記監視されたチャネル状態に基づいて、前記第２のセットの各チャネル上で送信されるパイロット信号の数を調整すること
を行うようにさらに構成された、請求項８に記載の装置。
【請求項１１】
チャネルの前記第２のセットを決定するための前記手段が、
前記第１のセットの各チャネルの前記チャネル状態を監視することと、
前記第１のセットの各チャネルの前記監視されたチャネル状態に基づいて、前記データを通信するためのリソース許可を決定することと、
前記決定されたリソース許可に対応する前記第１のセットの前記チャネルを含むように前記第２のセットを決定することと
を行うように構成された、請求項７に記載の装置。
【請求項１２】
前記装置からの前記データを通信するための前記リソース許可を前記装置に送信するための手段
をさらに備える、請求項１１に記載の装置。
【請求項１３】
チャネルの前記第２のセットを決定するための前記手段が、
前記第１のセットの１つまたは複数のチャネル上で前記装置から少なくとも１つのパイロット信号を受信したことに基づいて、前記第１のセットの各チャネルの前記チャネル状態を監視することと、
前記しきい値よりも大きい監視されたチャネル状態を有する前記第１のセットの前記１つまたは複数のチャネルを含むように前記第２のセットを決定することと
を行うように構成された、請求項７に記載の装置。
【請求項１４】
前記少なくとも１つのパイロット信号に応答して、前記第２のセット中に含まれる前記１つまたは複数のチャネル上で肯定応答（ＡＣＫ）／否定応答（ＮＡＣＫ）信号を前記装置に送信するための手段と、
前記第２のセットの前記少なくとも１つのチャネルの前記監視されたチャネル状態に基づいて、前記第２のセットの前記チャネルの間で前記データ通信を分割するための手段と
をさらに備える、請求項１３に記載の装置。
【請求項１５】
チャネルの前記第２のセットを決定するための前記手段が、
前記装置から、前記装置に前記データを通信するためのリソース許可を受信することと、
前記リソース許可に対応する前記第１のセットの前記チャネルを含むように前記第２のセットを決定することと
を行うように構成された、請求項７に記載の装置。